(57)【要約】本発明は、採光性を向上させる簡素な構成でありながら、従来の温室における屋根の構造と同等の強度を維持し得る温室における屋根の構造を提供することを目的とするものである。垂木材１０として、アーチ状に形成された断面円形の金属製パイプからなり、その直径が約３０ｍｍから約５０ｍｍの範囲内のものを用い、かつ該垂木材１０同士の間隔Ｐを約０．５ｍから約１．５ｍの範囲内として、該垂木材１０を棟方向に複数配設する。これにより、所定の強度を維持しつつ屋根を構成する骨材の構造を簡素にし得る。すなわち、例えば、垂木材１０同士を棟木により連結するだけで、屋根に加えられる鉛直荷重や水平荷重に対して十分に耐え得る強度を得ることができるため、母屋材などを不要にすることができる。また、屋根を構成する骨材の構造を簡素にし得るため、採光性も高めることができる。
2004064496.tif 000002
【特許請求の範囲】
【請求項１】
温室における屋根の構造であって、垂木材として、アーチ状に形成された断面円形の金属製パイプからなり、その直径が約３０ｍｍから約５０ｍｍの範囲内のものを用い、かつ該垂木材同士の間隔を約０．５ｍから約１．５ｍの範囲内として、該垂木材を棟方向に複数配設したことを特徴とする屋根の構造。
【請求項２】
前記垂木材として、その直径が約３５ｍｍから約４０ｍｍの範囲内のものを用いたことを特徴とする請求項１に記載の屋根の構造。
【請求項３】
前記垂木材同士の間隔を約１ｍとしたことを特徴とする請求項１又は２に記載の屋根の構造。
【請求項４】
前記垂木材同士を、棟方向に連続して配設される天窓受け枠のみにより連結したことを特徴とする請求項１から３のいずれか１項に記載の屋根の構造。
【請求項５】
前記天窓受け枠は、棟に対して各々略平行に配置される両端縁部に、前記垂木材上に配設されるフィルム固定具の一部と係合して、該フィルム固定具をスライド移動可能に保持し得る保持部を備えると共に、前記垂木材には、前記フィルム固定具を、そのスライド移動可能範囲内における任意の位置にて前記垂木材に固着し得るジョイント部材が設けられていることを特徴とする請求項４に記載の屋根の構造。
【発明の詳細な説明】
【技術分野】  本発明は、温室における屋根の構造に関し、より詳しくは、温室の屋根を構成する骨材の構造と、該骨材の構造に好適な被覆材の張設技術に関する。
【背景技術】  従来、温室における屋根の構造としては、図４に示したように、屋根を山形（合掌形）に形成する合掌材１００と、屋根の頭頂部に当たる棟に沿って設けられる棟木１１０と、該棟木１１０と平行して合掌材１００上に固定される母屋材１２０と、棟木１１０を回動中心として開閉動作する天窓１３０とを具備するものが知られている。また、母屋材１２０上に更に垂木材を設けた構造のものも知られている。
また、特開２００２−２９１３４８号公報には、温室の構造的強度を維持し得る簡潔な骨材の構造が開示されている。
ところで、屋外に設置される温室は、強風、降雨、降雪、地震などの諸条件を考慮して、倒壊等を起こさないよう骨材の構造に一定の強度が要求される。この点、図４に示した従来の屋根の構造では、棟方向の水平荷重に対して、棟木１１０のみでは強度的に不足するため、合掌材１００上に多数の母屋材１２０が棟木１１０と平行して設けられている。
しかしながら、かかる屋根の構造では、強度的には満足するものではあるものの、合掌材１００、棟木１１０及び母屋材１２０に加えて、さらに天窓１３０を受ける天窓受け枠１４０が配設されていることも相俟って、屋根を構成する骨材の種類、数量が共に多く、その構造が複雑である。従って、設置場所における組み立て作業に多くの手間と労力を要するという欠点があり、またそのような事情から材料費を含む建築コストが高くつくという問題があった。さらに、屋根を構成するこれらの骨材が太陽光を遮断して温室内に多数の陰をつくり出し、採光性を悪くするという欠点もあった。
他方、上記した特開２００２−２９１３４８号公報には、温室の屋根の構造として、屋根を構成する骨材が棟木と垂木材とからなり、該垂木材を柱同士の間隔よりも小さな間隔で多数設けることが記載されているが、垂木材の直径や垂木材同士の間隔などについて具体的に規定する記載はない。すなわち、垂木材同士の間隔を単に柱同士の間隔より小さくしただけでは、垂木材同士の間隔が小さすぎて却って採光性を悪くする結果を招来することもある。また、垂木材自体の強度が弱いもの、例えば、樹脂製のパイプからなるものや金属製のパイプからなるものであっても小径のものでは、棟方向の水平荷重等に対して、満足な強度が得られない。さらに、垂木材として大径のものを用いた場合には、垂木材同士の間隔が小さいことも相俟って採光性を悪くすることもある。
本発明は上記事情に鑑みなされたものであって、採光性を向上させる簡素な構成でありながら、従来の温室における屋根の構造と同等の強度を維持し得る温室における屋根の構造を提供することを課題とする。
【発明の開示】
上記した課題を解決するため、請求項１に記載の本発明は、温室における屋根の構造であって、垂木材として、アーチ状に形成された断面円形の金属製パイプからなり、その直径が約３０ｍｍから約５０ｍｍの範囲内のものを用い、かつ該垂木材同士の間隔を約０．５ｍから約１．５ｍの範囲内として、該垂木材を棟方向に複数配設したことを特徴とする屋根の構造を提供する。
請求項２に記載の本発明は、前記垂木材として、その直径が約３５ｍｍから約４０ｍｍの範囲内のものを用いたことを特徴とする請求項１に記載の屋根の構造を提供する。
請求項３に記載の本発明は、前記垂木材同士の間隔を約１ｍとしたことを特徴とする請求項１又は２に記載の屋根の構造を提供する。
請求項４に記載の本発明は、前記垂木材同士を、棟方向に連続して配設される天窓受け枠のみにより連結したことを特徴とする請求項１から３のいずれか１項に記載の屋根の構造を提供する。
請求項５に記載の本発明は、前記天窓受け枠は、棟に対して各々略平行に配置される両端縁部に、前記垂木材上に配設されるフィルム固定具の一部と係合して、該フィルム固定具をスライド移動可能に保持し得る保持部を備えると共に、前記垂木材には、前記フィルム固定具を、そのスライド移動可能範囲内における任意の位置にて前記垂木材に固着し得るジョイント部材が設けられていることを特徴とする請求項４に記載の屋根の構造を提供する。
作用
請求項１に記載の本発明によれば、所定の強度を維持しつつ屋根を構成する骨材の構造を簡素にし得る。すなわち、例えば、垂木材同士を棟木により連結するだけで、屋根に加えられる鉛直荷重や水平荷重に対して十分に耐え得る強度を得ることができるため、母屋材などを不要にすることができる。また、屋根を構成する骨材の構造を簡素にし得るため、採光性も高めることができる。さらに、設置場所における組み立て作業の手間と労力を減少させることができ、材料費を含む建築コストの低減を図ることが可能である。
請求項２又は３に記載の本発明によれば、所定の強度を維持しつつ採光性をより高めることができる。
請求項４に記載の本発明によれば、天窓を備える屋根の構造において、棟木及び母屋材を不要として、屋根を構成する骨材の構造を簡素にし得ると共に、従来の温室における屋根の構造と同等の強度を維持し得る。また、採光性も高めることができ、さらに、材料費を含む建築コストの低減を図ることが可能である。
請求項５に記載の本発明によれば、フィルム固定具に温室の被覆材であるプラスチックフィルムを固定した後、プラスチックフィルムに張力がかかる方向にフィルム固定具をスライド移動させてジョイント部材により垂木材に固着せしめることで、プラスチックフィルムを容易に展張することができる。
【図面の簡単な説明】  図１は、本発明の一の実施形態に係る温室における屋根の構造の要部を示す斜視図である。
図２は、上記実施形態において採用された天窓及び天窓受け枠を示す図である。
図３は、図２のＡ部拡大斜視図である。
図４は、従来の温室における屋根の構造を示す図である。
これらの図において示した符号１０は垂木材、２０は天窓、３０は天窓受け枠、４０は柱材、５０は谷樋、６０はフィルム固定具、７０はジョイント部材、８０はプラスチックフィルムである。
【発明を実施するための最良の形態】  以下、図面に示した実施形態に基づき本発明をさらに詳細に説明する。
図１は、本発明の一の実施形態に係る温室における屋根の構造の要部を示す斜視図である。この図に示したように、本実施形態に係る屋根は、垂木材１０、天窓２０、天窓受け枠３０を有して構成される。
垂木材１０は、アーチ状に形成された断面円形の金属製パイプからなる。垂木材１０は、１のパイプ材をアーチ状に加工したものであることが望ましいが、複数のパイプ材を連結してアーチ状に形成したものであっても良い。垂木材１０をこのようにアーチ状に形成することで、垂木材１０上に張設されるプラスチックフィルムに張力を掛け易くなるという利点がある。また、垂木材１０を断面円形の金属製パイプから構成することにより、樹脂製のパイプなどから構成されるものと比べて垂木材１０自体の強度を強めることができる。
また、垂木材１０としては、その直径が約３０ｍｍから約５０ｍｍの範囲内のものを用いることが好ましい。垂木材１０の直径が上記範囲よりも大きいと、垂木材１０自体が太陽光を必要以上に遮断して温室内に陰をつくり出し、採光性を低下させることとなり、逆に、垂木材１０の直径が上記範囲よりも小さいと、屋根に加えられる鉛直荷重や水平荷重に耐え得る強度が不足することになるからである。かかる観点から、垂木材１０としては、その直径が約３５ｍｍから約４０ｍｍの範囲内のものを用いることがより好ましい。かかる範囲内の直径を有する垂木材１０を用いることにより、採光性をより高めることができ、また、十分な強度を得ることが可能となる。
垂木材１０は、その両端部が、柱材４０の上端部に固定され、棟方向に沿って配設される谷樋５０又は該谷樋５０と柱材４０の上端部との間に介在する桁材（図示せず）にそれぞれ連結されることにより、棟方向に所定の間隔をおいて複数配設される。ここで、垂木材同士の間隔Ｐは、約０．５ｍから約１．５ｍの範囲内であることが好ましい。垂木材１０同士の間隔Ｐが上記範囲よりも大きいと、屋根に加えられる鉛直荷重や水平荷重に耐え得る強度が不足することになり、逆に、垂木材１０同士の間隔Ｐが上記範囲よりも小さいと、垂木材１０自体が太陽光を必要以上に遮断して温室内に陰をつくり出し、採光性を低下させることとなるからである。かかる観点から、垂木材１０同士の間隔Ｐは、約１ｍとすることがより好ましい。これにより、採光性をより高めることができ、また、十分な強度を得ることが可能となる。
本実施形態では、上記した垂木材１０を採用し、かつ該垂木材１０を上記間隔にて複数配設することにより、例えば、垂木材１０同士を棟木のみにより連結するだけで、屋根に加えられる鉛直荷重や水平荷重に対して十分に耐え得る強度を得ることが可能である。従って、この場合、母屋材などを不要にすることができる。また、本実施形態のように、天窓２０を備える屋根にあっては、垂木材１０同士を、棟方向に連続して配設される天窓受け枠３０のみにより連結することにより、所定の強度を得ることができるため、棟木及び母屋材を不要にすることができる。従って、屋根を構成する骨材の構造を簡素なものとして、設置場所における組み立て作業の手間と労力を減少させることができ、材料費を含む建築コストの低減を図ることが可能である。
ここで、天窓２０としては、図２に示したように、棟を跨いで、棟と交差する方向に広がるように形成された開口部を開閉可能に設けられるものであって、開口部の周縁に設けられる天窓受け枠３０に連結される一方の端部２０ａを中心として、他方の端部２０ｂが上下方向に回動するものであることが好ましい。かかる天窓２０によれば、特別の補強手段を講じなくても一定の強度を保持しつつ、開口部の開口面積を、棟木を回動中心として開閉動作する構造のものよりも拡大することが可能である。
また、天窓受け枠３０としては、図２及び図３に示したように、棟に対して各々略平行に配置される両端縁部に、垂木材１０上に配設されるフィルム固定具６０の一部６０ａと係合して、該フィルム固定具６０をスライド移動可能に保持し得る保持部３０ａを備えるものを用いることが好ましい。また、垂木材１０には、フィルム固定具６０を、そのスライド移動可能範囲内における任意の位置にて垂木材１０に固着し得るジョイント部材７０を設けることが好ましい。
かかる構成により、温室の被覆材であるプラスチックフィルム８０を容易に展張することができる。すなわち、プラスチックフィルム８０は、風等によるばたつきを防止するために、できるだけ張力をかけて張設されるが、この際の作業として、まず、谷樋５０の傾斜壁部に形成されたフィルム係合部に、プラスチックフィルム８０の谷底側の端部を係合固定する一方、プラスチックフィルム８０の天井側の端部を、上記したフィルム固定具６０に固定する。次に、該フィルム固定具６０をジョイント部材７０と共に棟に接近する方向にスライド移動させることにより、プラスチックフィルム８０に張力を掛けることができる。そして、その後、ジョイント部材７０により該フィルム固定具６０を垂木材１０に固着せしめることで、プラスチックフィルム８０に適度な張力を持たせて、これを張設することができる。
【産業上の利用可能性】  以上説明した通り、本発明の温室における屋根の構造によれば、所定の強度を維持しつつ屋根を構成する骨材の構造を簡素にし得る。従って、採光性を高めることができると共に、設置場所における組み立て作業の手間と労力を減少させて、材料費を含む建築コストの低減を図ることが可能となる。
【図１】
2004064496.tif 000003
【図２】
2004064496.tif 000004
【図３】
2004064496.tif 000005
【図４】
2004064496.tif 000006
【国際調査報告】
2004064496.tif 000007
2004064496.tif 000008